(57)【要約】【課題】利便性の向上が図れるエンクロージャを提供する。【解決手段】エンクロージャ７２は、スピーカを取り付け可能とし、スピーカの後部を覆う。このエンクロージャ７２は、一側面に開口部７２１を有する容器状に形成され、開口部７２１周縁部分に位置し所定サイズの第１のスピーカ７１を設置可能とする第１の設置部７２２と、容器状の内面に設けられ第１のスピーカ７１よりもサイズの小さい第２のスピーカ７１´を設置可能とする第２の設置部７２５とを備える。【選択図】図３
2008139770.tif 000002
【特許請求の範囲】
【請求項１】
スピーカを取り付け可能とし、前記スピーカの後部を覆うエンクロージャであって、
一側面に開口部を有する容器状に形成され、
前記開口部周縁部分に位置し所定サイズの第１のスピーカを設置可能とする第１の設置部と、容器状の内面に設けられ前記第１のスピーカよりもサイズの小さい第２のスピーカを設置可能とする第２の設置部とを備えていることを特徴とするエンクロージャ。
【請求項２】
請求項１に記載のエンクロージャにおいて、
前記第２の設置部は、当該エンクロージャの容器状の底部分から立設するように形成されていることを特徴とするエンクロージャ。
【請求項３】
光源装置と、前記光源装置から射出された光束を画像情報に応じて変調する光変調装置と、前記光変調装置にて変調された光束を拡大投射する投射光学装置と、前記光源装置、前記光変調装置、および前記投射光学装置を内部に収納する外装筺体とを備えたプロジェクタであって、
請求項１または請求項２に記載のエンクロージャを備えていることを特徴とするプロジェクタ。
【請求項４】
請求項３に記載のプロジェクタにおいて、
前記エンクロージャには、前記第２の設置部に前記第２のスピーカが取り付けられ、
前記第２のスピーカは、第２のスピーカ本体と、バッフル板とを備え、
前記バッフル板は、前記エンクロージャ内部の空間において、前記第２のスピーカ本体の後部と前記第２のスピーカの前部とを隔離することを特徴とするプロジェクタ。
【請求項５】
請求項３または請求項４に記載のプロジェクタにおいて、
前記エンクロージャは、容器状の底部分が段付き状に形成されていることを特徴とするプロジェクタ。
【発明の詳細な説明】
【技術分野】
【０００１】
本発明は、エンクロージャ、およびプロジェクタに関する。
【背景技術】
【０００２】
従来、光源から射出された光束を画像情報に応じて変調して光学像を形成し、該光学像をスクリーン等に拡大投射するプロジェクタが知られている（例えば、特許文献１参照）。
このようなプロジェクタでは、スクリーン等に拡大投射した投影画像に応じた音声を出力するためのスピーカが内蔵された構成が一般的である。より具体的に、スピーカは、プロジェクタを構成する外装筐体の内側に直接、固定され、外装筺体に形成されたスピーカ孔を介して該スピーカからの音声を出力する構成とされている。
【０００３】
【特許文献１】特開２００６−２４３３６１号公報
【発明の開示】
【発明が解決しようとする課題】
【０００４】
しかしながら、従来のプロジェクタでは、例えば、スピーカを能力の異なる（サイズの異なる）スピーカに変更してプロジェクタの設計変更を実施する場合には、スピーカが外装筺体の内側に直接、固定されているため、外装筺体におけるスピーカの固定構造や、外装筺体におけるスピーカ孔の形状等を変更する必要がある。すなわち、プロジェクタを機種毎にスピーカの能力を異なるもので構成する場合には、外装筺体も機種毎に作り分ける必要があり、利便性の向上が図れない、という問題がある。
このため、プロジェクタを機種毎にスピーカの能力を異なるもので構成する場合であっても、外装筺体を機種毎の共通部品として採用でき、利便性の向上が図れる技術が要望されている。
【０００５】
本発明の目的は、利便性の向上が図れるエンクロージャ、およびプロジェクタを提供することにある。
【課題を解決するための手段】
【０００６】
本発明のエンクロージャは、スピーカを取り付け可能とし、前記スピーカの後部を覆うエンクロージャであって、一側面に開口部を有する容器状に形成され、前記開口部周縁部分に位置し所定サイズの第１のスピーカを設置可能とする第１の設置部と、容器状の内面に設けられ前記第１のスピーカよりもサイズの小さい第２のスピーカを設置可能とする第２の設置部とを備えていることを特徴とする。
本発明では、エンクロージャは、開口部周縁部分に第１の設置部が形成されるとともに、容器状の内面に第２の設置部が形成されている。すなわち、エンクロージャは、互いに能力の異なる（サイズの異なる）第１のスピーカおよび第２のスピーカを設置可能とする。このことにより、音声の出力を必要とする電子機器である例えばプロジェクタに、エンクロージャを搭載すれば、プロジェクタを機種毎に能力の異なる（サイズの異なる）第１のスピーカあるいは第２のスピーカで構成する場合であっても、エンクロージャに第１のスピーカおよび第２のスピーカが取り付け可能に構成されているため、外装筺体を機種毎に作り分ける必要がなく、外装筺体を機種毎の共通部品として採用でき、利便性の向上が図れる。
また、エンクロージャを採用することで、例えばエンクロージャを用いない従来の構成（プロジェクタ）と比較して、スピーカにおける前面からの音と背面からの音とを遮断し、互いに逆位相となる前面からの低域の音と背面からの低域の音とが打ち消しあうことを防止して低域の音を十分に再生可能とし、音質および音量を改善できる。
【０００７】
ところで、従来のプロジェクタでは、スピーカが外装筺体の内側に直接、固定されているため、スピーカの振動により外装筺体が共振しやすいものである。このため、外装筺体の共振を防止するために、外装筺体に対してクッション等の吸振部材を介してスピーカを取り付けたり、外装筺体を剛性の高い材料で構成したりする必要がある。すなわち、クッション等の吸振部材を外装筺体およびスピーカ間に介在させる場合には、外装筺体に対するスピーカの固定作業が煩雑化してしまう。また、外装筺体を剛性の高い材料で構成する場合には、外装筺体の設計の自由度が低減してしまう。
本発明によれば、スピーカ（第１のスピーカ、第２のスピーカ）はエンクロージャに取り付けられるため、エンクロージャ内部に吸音材を設けたり、エンクロージャを剛性の高い材料で構成したりすることで、スピーカの振動による共振を防止できる。すなわち、従来の構成（プロジェクタ）に比較して、スピーカの固定作業を容易に実施できるとともに、外装筺体の設計の自由度を向上できる。
【０００８】
本発明のエンクロージャでは、前記第２の設置部は、当該エンクロージャの容器状の底部分から立設するように形成されていることが好ましい。
本発明では、第２の設置部は、エンクロージャの開口部に対向する容器状の底部分から立設するように形成されている。このことにより、例えば、第２の設置部がエンクロージャの容器状の底部分以外の内側面に形成されている構成と比較して、エンクロージャを容易に製造できるとともに、開口部を介して第２のスピーカを第２の設置部に対して容易に設置できる。
【０００９】
本発明のプロジェクタは、光源装置と、前記光源装置から射出された光束を画像情報に応じて変調する光変調装置と、前記光変調装置にて変調された光束を拡大投射する投射光学装置と、前記光源装置、前記光変調装置、および前記投射光学装置を内部に収納する外装筺体とを備えたプロジェクタであって、上述したエンクロージャを備えていることを特徴とする。
本発明によれば、プロジェクタは、上述したエンクロージャを備えているので、上述したエンクロージャと同様の作用および効果を享受できる。
【００１０】
本発明のプロジェクタでは、前記エンクロージャには、前記第２の設置部に前記第２のスピーカが取り付けられ、前記第２のスピーカは、第２のスピーカ本体と、バッフル板とを備え、前記バッフル板は、前記エンクロージャ内部の空間において、前記第２のスピーカ本体の後部と前記第２のスピーカの前部とを隔離することが好ましい。
ところで、第２のスピーカは、エンクロージャ内部に配設されるため、エンクロージャ内部の空間において、エンクロージャの内壁面と第２のスピーカとの隙間を介して第２のスピーカの後部と前部とが連通しやすいものである。
本発明では、第２のスピーカは、第２のスピーカ本体と、バッフル板とを備える。そして、バッフル板は、エンクロージャ内部の空間において、第２のスピーカ本体の後部と第２のスピーカの前部とを隔離する。このことにより、エンクロージャに第２のスピーカを設置した構成とした場合でも、バッフル板により、第２のスピーカにおける前面からの音と背面からの音とを遮断し、互いに逆位相となる前面からの低域の音と背面からの低域の音とが打ち消しあうことを防止して低域の音を十分に再生でき、音質および音量を改善できる。
【００１１】
本発明のプロジェクタでは、エンクロージャは、容器状の底部分が段付き状に形成されていることが好ましい。
本発明によれば、エンクロージャは、容器状の底部分が段付き状に形成されているので、例えば、プロジェクタ内部において、外装筺体と他の部材との隙間にエンクロージャの底部分が突出するように配設することができ、エンクロージャの容量を十分に確保しつつ、プロジェクタ内部のレイアウトの自由度を向上できる。
【発明を実施するための最良の形態】
【００１２】
[第１実施形態]
以下、本発明の第１実施形態を図面に基づいて説明する。
〔プロジェクタの構成〕
図１は、プロジェクタ１の内部を示す斜視図である。具体的に、図１は、プロジェクタ１の内部を背面上方側から見た斜視図である。なお、以下では、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
プロジェクタ１は、光源から射出された光束を画像情報に応じて変調して画像光を形成し、形成した画像光をスクリーン（図示略）上に拡大投射するものである。このプロジェクタ１は、図１に示すように、外装筺体２と、外装筺体２内部に配置される投射光学装置としての投射レンズ３、光学ユニット４、電源ユニット５、冷却装置６、スピーカ装置７、および図示しない制御基板等で大略構成される。
【００１３】
〔外装筺体の構成〕
外装筺体２は、図１では一部を省略しているが、略直方体形状を有する箱状の筺体であり、内部に投射レンズ３、光学ユニット４、電源ユニット５、冷却装置６、スピーカ装置７、および前記制御基板等を収納配置する。この外装筺体２は、図１に示すように、プロジェクタ１における天面（＋Ｙ軸方向側の面）部分、前面（＋Ｚ軸方向側の面）部分の一部、側面（Ｘ軸方向に交差する各面）部分の一部、および背面（−Ｚ軸方向側の面）部分の一部を形成するアッパーケース（図示略）と、プロジェクタ１における底面（−Ｙ軸方向側の面）部分、前面部分の一部、側面部分の一部、および背面部分の一部を形成するロアーケース２２とを備える。そして、前記アッパーケースおよびロアーケース２２がねじ等により接続することで、略直方体形状を有する箱状の外装筺体２が構成される。
【００１４】
〔投射レンズの構成〕
投射レンズ３は、筒状の鏡筒３１内に複数のレンズが収納された組レンズとして構成され、前記アッパーケースの前面部分に形成された開口部（図示略）から先端部分が露出し、前記開口部を介して光学ユニット４にて形成された画像光をスクリーン等に拡大投射する。
【００１５】
〔光学ユニットの構成〕
図２は、光学ユニット４の光学系を模式的に示す平面図である。
光学ユニット４は、前記制御基板による制御の下、画像情報に応じて画像光を形成するものであり、図１に示すように、外装筺体２の−Ｘ軸方向側の側面部分から＋Ｘ軸方向側の側面部分に向けて延出し、延出方向先端部分が外装筺体２の前面部分に向けて屈曲して延出する平面視略Ｌ字形状を有している。この光学ユニット４は、図２に示すように、光源装置４１と、均一照明光学装置４２と、色分離光学装置４３と、リレー光学装置４４と、光学装置４５と、光学部品用筐体４６とを備える。
【００１６】
光源装置４１は、前記制御基板による制御の下、点灯して平行光を均一照明光学装置４２に向けて射出する。この光源装置４１は、図２に示すように、光源ランプ４１１１およびリフレクタ４１１２が一体化された光源装置本体４１１と、平行化レンズ４１２と、ランプハウジング４１３とを備えて構成される。
光源ランプ４１１１としては、ハロゲンランプやメタルハライドランプ、または高圧水銀ランプが用いられることが多い。
リフレクタ４１１２としては、光源ランプ４１１１から放射された光束を所定位置に収束するように反射する楕円面リフレクタを用いている。なお、リフレクタ４１１２としては、楕円面リフレクタの他、光源ランプ４１１１から射出された光束を略平行化して反射するパラボラリフレクタを用いてもよい。この場合には、リフレクタ４１１２の光射出前方側に配置される平行化レンズ４１２を省略できる。
【００１７】
平行化レンズ４１２は、リフレクタ４１１２にて反射された収束光を略平行化して射出する。
ランプハウジング４１３は、光源装置本体４１１および平行化レンズ４１２を支持固定するとともに光学部品用筐体４６に接続し、光源装置本体４１１および平行化レンズ４１２を光学部品用筐体４６に対する所定位置（光源装置４１から射出される光束の中心軸と光学部品用筐体４６内に設定された照明光軸Ａとが一致する位置）に位置決めする。
【００１８】
均一照明光学装置４２は、光源装置４１から射出された光束を、光学装置４５を構成する後述する液晶パネルの画像形成領域に略均一に照明するための光学系である。この均一照明光学装置４２は、図２に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００１９】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００２０】
色分離光学装置４３は、図２に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図２に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
【００２１】
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００２２】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２３】
光学装置４５は、図２に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
【００２４】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、一対の透明ガラス基板に電気光学物質である液晶が密閉封入された構成を有し、画像情報に応じて画像形成領域内にある前記液晶の配向状態を制御し、入射側偏光板４５２から射出された偏光光束の偏光方向を変調する。
射出側偏光板４５３は、入射側偏光板４５２と略同様の構成を有し、液晶パネル４５１の画像形成領域から射出された光束のみ透過させ、その他の光束を吸収する。
【００２５】
クロスダイクロイックプリズム４５４は、射出側偏光板４５３から射出された色光毎に変調された光学像を合成してカラー画像（画像光）を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等に拡大投射される。
【００２６】
光学部品用筐体４６は、図１または図２に示すように、平面視略Ｌ字形状を有し、内部に所定の照明光軸Ａ（図２）が設定され、上述した各光学部品４１〜４５を照明光軸Ａに対する所定位置に配置する。この光学部品用筐体４６は、図１または図２に示すように、部品収納部材４６１と、蓋状部材４６２（図１）とを備える。
部品収納部材４６１は、具体的な図示は省略したが、＋Ｙ軸方向側（上方側）に開口部を有する容器状に形成され、前記開口部を介して、ランプハウジング４１３と接続する一端側から順に各光学部品４２，４３が収納配置され、前記一端側と反対側の他端側に光学装置４５が収納配置される。
蓋状部材４６２は、部品収納部材４６１の前記開口部を閉塞する部材であり、部品収納部材４６１の平面形状と略同一の平面形状を有する。
そして、光学部品用筐体４６（光学ユニット４）は、具体的な図示は省略したが、外装筺体２におけるロアーケース２２の底面に対して、所定距離、離間した状態でねじ等により固定される。
【００２７】
〔電源ユニットの構成〕
電源ユニット５は、プロジェクタ１を構成する各構成部材（例えば、光源ランプ４１１１、前記制御基板等）に電力を供給するものであり、光学ユニット４のＬ字内側部分に配設される。この電源ユニット５は、図１に示すように、電源ケーブルを介して外部から供給された電力を前記各構成部材に供給する電源ブロック５１と、電源ブロック５１から供給された電力に基づいて光源ランプ４１１１を点灯させるランプ駆動ブロック５２とを備える。これら電源ブロック５１およびランプ駆動ブロック５２は、図１に示すように、Ｘ軸方向に延出する直方体形状の箱状部材５１Ａ，５２Ａによって周囲をそれぞれ覆われている。また、箱状部材５１Ａ，５２Ａには、具体的な図示は省略するが、光学ユニット４に対向する側（−Ｚ軸方向側）の端面における図１中、−Ｘ軸方向側の部分に内部の空気を外部に排出するための排出口が形成されている。
なお、箱状部材５１Ａ，５２Ａとしては、種々の部材を採用でき、例えば、絶縁性を有する部材や、アルミニウム等の金属性の部材等が例示できる。
【００２８】
〔冷却装置の構成〕
冷却装置６は、プロジェクタ１内部を冷却する装置である。この冷却装置６は、図１に示すように、吸気装置６１と、排気装置６２とを備える。
吸気装置６１は、ロアーケース２２の底面に形成された吸気口（図示略）を介してプロジェクタ１外部から冷却空気を吸入し、プロジェクタ１内部の発熱部材（例えば、液晶パネル４５１等）に冷却空気を送風して冷却する。より具体的に、この吸気装置６１は、投射レンズ３の側方に対向して配設される一対のシロッコファン６１０Ａ，６１０Ｂの駆動により、各シロッコファン６１０Ａ，６１０Ｂの吸入口（図示略）に接続された吸入側ダクト（図示略）を介してロアーケース２２の底面に形成された吸気口から外部の冷却空気を内部に導入し、各シロッコファン６１０Ａ，６１０Ｂの吐出口（図示略）に接続された吐出側ダクト（図示略）を介してプロジェクタ１内部の発熱部材に冷却空気を導き、発熱部材を冷却する。
【００２９】
排気装置６２は、プロジェクタ１内部に滞留する温められた空気を吸入し、外装筺体２を構成する前記アッパーケースにおける−Ｘ軸方向側の側面部分（光源装置４１の配設位置側）に形成された排気口（図示略）を介してプロジェクタ１外部に排出する。より具体的に、この排気装置６２は、吐出口（図示略）が前記排気口に対向して配設される軸流ファン６２１の駆動により、吸気装置６１により液晶パネル４５１等に送風された後の空気、電源ユニット５の各箱状部材５１Ａ，５２Ａ内部の空気、ランプハウジング４１３内部の空気等を、電源ユニット５（各箱状部材５１Ａ，５２Ａに形成された前記排出口）とランプハウジング４１３（ランプハウジング４１３における電源ユニット５に対向する端面に形成された排出口（図示略））との間に配設される排気ダクト６２２を介して吸入し、前記アッパーケースに形成された排気口を介してプロジェクタ１外部に排出する。すなわち、排気装置６２は、上述したようにプロジェクタ１内部の空気を外部に排出することで、電源ユニット５やランプハウジング４１３内部の光源装置本体４１１等を冷却し、プロジェクタ１内部の温度の上昇を抑制している。
【００３０】
〔スピーカ装置の構成〕
図３は、スピーカ装置７の構成を示す分解斜視図である。
図４は、スピーカ装置７の配設位置を示す平面図である。具体的に、図４は、図１の状態を＋Ｙ軸方向側から見た平面図である。
スピーカ装置７は、図１または図４に示すように、略直方体形状を有し、外装筺体２の背面部分における＋Ｘ軸方向側に該スピーカ装置７の前面部分（後述するエンクロージャ７２の開口部７２１）のみが露出するように配設され、前記制御基板による制御の下、入力した音声信号に基づく音声を発生する。このスピーカ装置７は、図３に示すように、第１のスピーカ７１と、エンクロージャ７２とを備える。なお、図１および図３では、第１のスピーカ７１の構造を簡略化して図示したものである。
本実施形態では、スピーカ装置７は、第１のスピーカ７１を備えた構成としているが、第１のスピーカ７１ではなく、後述する第２のスピーカ７１´を備えた構成としてもよいものである。
【００３１】
図５は、第１のスピーカ７１の構造を示す図である。具体的に、図５（Ａ）は、第１のスピーカ７１を前面（−Ｚ軸方向側）から見た平面図である。図５（Ｂ）は、図５（Ａ）におけるＡ−Ａ線の断面図である。
第１のスピーカ７１は、前記制御基板による制御の下、入力した音声信号を機械（物理）振動に変えて音声信号に基づく音声（可聴音）を発生させる。この第１のスピーカ７１は、一般的なダイナミック型スピーカであり、図５に示すように、フレーム７１１と、マグネット７１２（図５（Ｂ））と、ボイスコイル７１３（図５（Ｂ））と、コーン型振動板７１４と、ガスケット７１５とで大略構成されている。
【００３２】
フレーム７１１は、第１のスピーカ７１全体を支持するとともに第１のスピーカ７１をエンクロージャ７２に取り付けるための部材であり、図５に示すように、平坦状の基部７１１１（図５（Ｂ））と、基部７１１１の端縁から前方（−Ｚ軸方向）に向けて延出するアーム部７１１２（図５（Ｂ））と、アーム部７１１２の先端から基部７１１１に平行に（ＸＹ平面に平行に）外側に向けて延出して平面視矩形枠形状を有し四隅部分に一対の位置決め用孔７１１３Ａ（図５（Ａ））および一対の固定用孔７１１３Ｂ（図５（Ａ））を有するフランジ部７１１３とを備える。
【００３３】
マグネット７１２は、フレーム７１１における基部７１１１の背面に固定され、磁束を発生させる。
ボイスコイル７１３は、前記制御基板に電気的に接続する端子７１３Ａ（図５（Ｂ））を介して音声信号に応じた電流が通流され、マグネット７１２にて発生された磁束と通流される電流との相互作用による電磁力によって前記マグネットに対して前後（図５（Ｂ）中、Ｚ軸方向）に移動する。
コーン型振動板７１４は、基端部分７１４１がボイスコイル７１３に接続し、ボイスコイル７１３の移動に連動して振動し、音声信号に基づく音声を発生させる。
ガスケット７１５は、枠形状を有し、コーン型振動板７１４の先端部分７１４２とフレーム７１１のフランジ部７１１３との間に介在し、コーン型振動板７１４の先端部分７１４２をフレーム７１１のフランジ部７１１３に固定する。
本実施形態では、上述した第１のスピーカ７１は、定格出力が６Ｗのスピーカで構成されている。
【００３４】
エンクロージャ７２は、スピーカを取り付け可能に構成され、−Ｚ軸方向側の一側面に開口部７２１を有する直方体形状の容器状の筺体である。
このエンクロージャ７２において、開口部７２１周縁部分は、図３に示すように、外側に延出して平面視矩形枠形状を有する。そして、開口部７２１周縁部分から外側に延出した張り出し部分は、図３に示すように、−Ｚ軸方向端面が平坦状に形成され、第１のスピーカ７１を設置可能とする第１の設置部７２２として機能する。
【００３５】
この第１の設置部７２２において、−Ｚ軸方向端面における四隅角部分には、図３に示すように、第１のスピーカ７１のフランジ部７１１３における一対の位置決め用孔７１１３Ａおよび一対の固定用孔７１１３Ｂに対応して、一対の位置決め用突起７２２１および一対の固定用孔７２２２が形成されている。
そして、第１のスピーカ７１は、第１のスピーカ７１のマグネット７１２等をエンクロージャ７２の開口部７２１を介してエンクロージャ７２内部に挿入し、フランジ部７１１３の一対の位置決め用孔７１１３Ａにエンクロージャ７２の一対の位置決め用突起７２２１を嵌合することで、エンクロージャ７２に対して位置決めされる。また、第１のスピーカ７１は、一対の固定ねじ７３（図３）を一対の固定用孔７１１３Ｂを介してエンクロージャ７２の一対の固定用孔７２２２に螺合することで、エンクロージャ７２に対して固定される。この状態では、エンクロージャ７２は、開口部７２１が第１のスピーカ７１により閉塞され、内部が略密閉空間となる。
【００３６】
また、第１の設置部７２２において、Ｘ軸方向に交差する端縁部分には、図３に示すように、スピーカ装置７をロアーケース２２の底面に固定するための固定部７２２３がそれぞれ形成されている。
さらに、第１の設置部７２２において、−Ｘ軸方向端縁部分には、図３に示すように、第１のスピーカ７１を設置した状態において、エンクロージャ７２内外を連通する切り欠き７２２４が形成されている。この切り欠き７２２４は、第１のスピーカ７１や後述する第２のスピーカ７１´（図３）をエンクロージャ７２に設置した状態において、第１のスピーカ７１や第２のスピーカ７１´の端子７１３Ａと前記制御基板とを電気的に接続するための信号線をエンクロージャ７２内外に挿通させる部位である。
【００３７】
また、このエンクロージャ７２において、−Ｘ軸方向側の側面は、図３に示すように、＋Ｘ軸方向側にオフセットされている。すなわち、エンクロージャ７２は、図３に示すように、内部の空間のＸ軸方向寸法が開口部７２１のＸ軸方向寸法よりも小さくなるように形成されている。
さらに、このエンクロージャ７２において、容器状の底部分（＋Ｚ軸方向端面）は、図３に示すように、＋Ｙ軸方向側部位７２３１に対して−Ｙ軸方向側部位７２３２が＋Ｚ軸方向側にオフセットされ、段付き状に形成されている。すなわち、エンクロージャ７２は、＋Ｚ軸方向側から見た場合に、−Ｙ軸方向側部位７２３２が＋Ｙ軸方向側部位７２３１に対して＋Ｚ軸方向側に膨出している。
【００３８】
また、このエンクロージャ７２において、＋Ｙ軸方向側部位７２３１には、図３に示すように、スピーカ装置７をロアーケース２２の底面に固定した際に、光学ユニット４との機械的な干渉を回避するための凹部７２３１Ａが形成されている。
そして、上述したように光学ユニット４が外装筺体２におけるロアーケース２２の底面に対して、所定距離、離間した状態で固定されるため、スピーカ装置７をロアーケース２２の底面に配設した状態では、図４に示すように、エンクロージャ７２における容器状の底部分の＋Ｙ軸方向側部位７２３１が光学ユニット４の−Ｚ軸方向端面に近接配置するとともに、−Ｙ軸方向側部位７２３２が光学ユニット４とロアーケース２２の底面との隙間に配設される。
【００３９】
また、このエンクロージャ７２において、容器状の底部分の＋Ｙ軸方向側部位７２３１の−Ｚ軸方向端面には、図３に示すように、−Ｚ軸方向に突出する一対の突出部７２４１，７２４２がそれぞれ立設されている。また、同様に、容器状の底部分の−Ｙ軸方向側部位７２３２の−Ｚ軸方向端面には、図３に示すように、−Ｚ軸方向に突出する一対の突出部７２４３，７２４４がそれぞれ立設されている。各突出部７２４１〜７２４４は、突出方向先端部がＸＹ平面に合致するように形成されている。そして、各突出部７２４１〜７２４４の突出方向先端部は、図３に示すように、第１の設置部７２２の矩形形状と相似関係を有する矩形形状を有し、第２のスピーカ７１´を設置可能とする第２の設置部７２５として機能する。
【００４０】
ここで、第２のスピーカ７１´は、第１のスピーカ７１と同様の構成を有し、異なる点は、第１のスピーカ７１のサイズよりも小さいサイズで構成されている（第１のスピーカ７１の能力と異なる能力を有するように構成されている）点のみであり、説明を省略する。本実施形態では、第２のスピーカ７１´は、定格出力が１Ｗのスピーカで構成されている。
この第２の設置部７２５において、矩形形状の対角位置に存在する各突出部７２４１，７２４３の突出方向先端部には、図３に示すように、一対の位置決め用突起７２４１Ａ，７２４３Ａが形成されている。また、矩形形状の他の対角位置に存在する各突出部７２４２，７２４４の突出方向先端部には、図３に示すように、一対の固定用孔７２４２Ａ，７２４４Ａが形成されている。
そして、第２のスピーカ７１´は、エンクロージャ７２に対する第１のスピーカ７１の設置方法と同様に、第２のスピーカ７１´のマグネット（図示略）等をエンクロージャ７２の開口部７２１を介してエンクロージャ７２内部に挿入し、第２のスピーカ７１´の一対の位置決め用孔７１１３Ａにエンクロージャ７２の一対の位置決め用突起７２４１Ａ，７２４３Ａを嵌合することで、エンクロージャ７２に対して位置決めされる。また、第２のスピーカ７１´は、一対の固定ねじ（図示略）を一対の固定用孔７１１３Ｂを介してエンクロージャ７２の一対の固定用孔７２４２Ａ，７２４４Ａに螺合することで、エンクロージャ７２に対して固定される。
すなわち、上述したエンクロージャ７２は、第１の設置部７２２および第２の設置部７２５により、第１のスピーカ７１および第２のスピーカ７１´を、Ｚ軸方向の同軸上にそれぞれ設置可能とする。
【００４１】
〔制御基板の構成〕
前記制御基板は、ＣＰＵ(Central Processing Unit)等の回路素子が実装された回路基板として構成され、光学ユニット４の＋Ｙ軸方向側に配設される。そして、前記制御基板は、光学ユニット４（光源ランプ４１１１、液晶パネル４５１等）、電源ユニット５、冷却装置６（シロッコファン６１０Ａ，６１０Ｂ、軸流ファン６２１等）、スピーカ装置７等を駆動制御する。例えば、前記制御基板は、ロアーケース２２の背面部分に配設され複数の接続端子２２１Ａ（図１）を介して外部の電子機器から入力した画像信号、音声信号等を処理するインターフェース基板２２１（図１）と電気的に接続する。そして、前記制御基板は、インターフェース基板２２１から出力される画像信号に対して所定の画像処理を施し、画像処理を施した信号に基づいて液晶パネル４５１を駆動するための駆動信号を生成して液晶パネル４５１に出力する。また、前記制御基板は、インターフェース基板２２１から出力される音声信号に対して所定の信号処理や信号増幅を実施し、スピーカ装置７を構成する第１のスピーカ７１（第２のスピーカ７１´）に音声信号を出力する。
【００４２】
上述した第１実施形態によれば、以下の効果がある。
本実施形態では、エンクロージャ７２は、開口部７２１周縁部分に第１の設置部７２２が形成されるとともに、容器状の内面に第２の設置部７２５が形成されている。すなわち、エンクロージャ７２は、互いに能力の異なる（サイズの異なる）第１のスピーカ７１および第２のスピーカ７１´を設置可能とする。このことにより、プロジェクタ１にエンクロージャ７２を搭載することで、プロジェクタ１を機種毎に能力の異なる（サイズの異なる）第１のスピーカ７１あるいは第２のスピーカ７１´で構成する場合であっても、エンクロージャ７２に第１のスピーカ７１および第２のスピーカ７１´を取り付け可能に構成されているため、外装筺体２を機種毎に作り分ける必要がなく、外装筺体２を機種毎の共通部品として採用でき、利便性の向上が図れる。
【００４３】
また、エンクロージャ７２を採用することで、例えばエンクロージャ７２を用いない従来の構成と比較して、第１のスピーカ７１における前面（−Ｚ軸方向側の面）からの音と背面（＋Ｚ軸方向側の面）からの音とを遮断し、互いに逆位相となる前面からの低域の音と背面からの低域の音とが打ち消しあうことを防止して低域の音を十分に再生でき、音質および音量を改善できる。
【００４４】
さらに、第１のスピーカ７１（第２のスピーカ７１´）はエンクロージャ７２に取り付けられるため、エンクロージャ７２内部に吸音材を設けたり、エンクロージャ７２を剛性の高い材料で構成したりすることで、第１のスピーカ７１（第２のスピーカ７１´）の振動による共振を防止できる。すなわち、従来の構成と比較して、クッション等の吸振部材を外装筺体およびスピーカ間に介在させる必要がなく第１のスピーカ７１（第２のスピーカ７１´）の固定作業を容易に実施できるとともに、外装筺体２を剛性の高い材料で構成する必要がなく外装筺体２の設計の自由度を向上できる。
【００４５】
また、第２の設置部７２５は、エンクロージャ７２の開口部７２１に対向する容器状の底部分から立設するように形成されている。このことにより、例えば、第２の設置部がエンクロージャの容器状の底部分以外の内側面に形成されている構成と比較して、エンクロージャ７２を容易に製造できるとともに、開口部７２１を介して第２のスピーカ７１´を第２の設置部７２５に対して容易に設置できる。
【００４６】
さらに、エンクロージャ７２は、容器状の底部分が段付き状に形成されているので、ロアーケース２２の底面と光学ユニット４との隙間に−Ｙ軸方向側部位７２３２が突出するように配設することができ、エンクロージャ７２の容量を十分に確保しつつ、プロジェクタ１内部のレイアウトの自由度を向上できる。
【００４７】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図６は、第２実施形態におけるスピーカ装置７０の構成を示す図である。具体的に、図６（Ａ）は、スピーカ装置７０を前面側から見た平面図である。図６（Ｂ）は、図６（Ａ）におけるＢ−Ｂ線の断面図である。なお、図６（Ｂ）では、説明の便宜上、第２のスピーカ７１´を構成する第２のスピーカ装置７１６Ａを簡略化して図示している。
前記第１実施形態では、スピーカ装置７は、第１のスピーカ７１およびエンクロージャ７２で構成され、第１のスピーカ７１がエンクロージャ７２に対して取り付けられている。
これに対して第２実施形態では、スピーカ装置７０は、図６に示すように、バッフル板７１６Ｂを有する第２のスピーカ７１０´と、エンクロージャ７２０とを備え、第２のスピーカ７１０´がエンクロージャ７２０に対して取り付けられている。スピーカ装置７０以外の構成は、前記第１実施形態と同様のものである。
【００４８】
エンクロージャ７２０は、前記第１実施形態で説明したエンクロージャ７２と略同様の形状を有し、エンクロージャ７２と異なる点は、以下の通りである。
エンクロージャ７２０において、開口部７２１のＸ軸方向縁部は、図６に示すように、Ｘ軸方向外側に延出し、−Ｚ軸方向端面が平坦状に形成され第１のスピーカ７１のフランジ部７１１３に当接可能とする張り出し部分７２２０Ａが形成されている。また、このエンクロージャ７２０において、開口部７２１および張り出し部分７２２０Ａの縁部から−Ｚ軸方向に突出し、第１のスピーカ７１のフランジ部７１１３を嵌合可能とする平面視矩形枠形状を有する突出部分７２２０Ｂが形成されている。そして、張り出し部分７２２０Ａおよび突出部分７２２０Ｂは、図６に示すように、第１のスピーカ７１を設置可能とする第１の設置部７２２０として機能する。
【００４９】
この第１の設置部７２２０の張り出し部分７２２０Ａにおいて、第１のスピーカ７１のフランジ部７１１３における一対の位置決め用孔７１１３Ａおよび一対の固定用孔７１１３Ｂに対応する位置には、図６に示すように、一対の位置決め用突起７２２１および一対の固定用孔７２２２が形成されている。
なお、エンクロージャ７２０に対する第１のスピーカ７１の設置方法は、前記第１実施形態と同様のものである。
【００５０】
また、エンクロージャ７２０の容器状の内面において、ＸＹ平面に交差する部分は、図６（Ｂ）に示すように、容器状の内側にオフセットし、−Ｚ軸方向端面が平坦状に形成され第２のスピーカ７１０´を構成するバッフル板７１６Ｂに当接可能とする段差部分が形成されている。そして、前記段差部分は、図６に示すように、第２のスピーカ７１０´を設置可能とする第２の設置部７２５０として機能する。
すなわち、本実施形態では、エンクロージャ７２０は、前記第１実施形態で説明したエンクロージャ７２に対して、各突出部７２４１〜７２４４が省略されている。
【００５１】
第２のスピーカ７１０´は、前記第１実施形態で説明した第２のスピーカ７１´と同様の構成を有するスピーカ本体７１６Ａと、バッフル板７１６Ｂとを備えている。
バッフル板７１６Ｂは、エンクロージャ７２０の開口部７２１と略同一の外形形状を有する平面視矩形状の板体で構成され、略中央部分にコーン型振動板７１４（図５参照）を露出するための開口部７１６Ｂ１が形成されている。そして、バッフル板７１６Ｂは、＋Ｚ軸方向端面において、開口部７１６Ｂ１周縁部分にてフレーム７１１（図５参照）を介してスピーカ本体７１６Ａが取り付けられる。
そして、第２のスピーカ７１０´は、第２のスピーカ本体７１６Ａをエンクロージャ７２０の開口部７２１を介してエンクロージャ７２０内部に挿入し、バッフル板７１６Ｂの外縁部をエンクロージャ７２０の第２の設置部７２５０に当接することで、エンクロージャ７２０に設置される。なお、エンクロージャ７２０に対する第２のスピーカ７１０´の固定は、第２の設置部７２５０に対してバッフル板７１６Ｂを接着剤等にて接着固定してもよく、あるいは、ねじ等にて固定しても構わない。
以上の状態では、エンクロージャ７２０内部の空間において、バッフル板７１６Ｂにより、第２のスピーカ本体７１６Ａの後部が略密閉空間となり、第２のスピーカ本体７１６Ａの後部と第２のスピーカ本体７１６Ａの前部とが隔離された状態となる。
【００５２】
上述した第２実施形態においては、前記第１実施形態と同様の効果の他、以下の効果がある。
本実施形態では、第２のスピーカ７１０´は、第２のスピーカ本体７１６Ａと、バッフル板７１６Ｂとを備える。そして、バッフル板７１６Ｂは、エンクロージャ７２０内部の空間において、第２のスピーカ本体７１６Ａの後部と第２のスピーカ本体７１６Ａの前部とを隔離する。このことにより、エンクロージャ７２０に第２のスピーカ７１０´を設置した構成とした場合でも、バッフル板７１６Ｂにより、第２のスピーカ本体７１６Ａにおける前面（−Ｚ軸方向側の面）からの音と背面（＋Ｚ軸方向側の面）からの音とを遮断し、互いに逆位相となる前面からの低域の音と背面からの低域の音とが打ち消しあうことを防止して低域の音を十分に再生でき、音質および音量を改善できる。
【００５３】
なお、本発明は前述の実施形態に限定されるものではなく、本発明の目的を達成できる範囲での変形、改良等は本発明に含まれるものである。
前記各実施形態では、スピーカ装置７，７０は、第１のスピーカ７１および第２のスピーカ７１´，７１０´のいずれか一方のみをエンクロージャ７２，７２０に取り付けた構成としていたが、これに限らず、第１のスピーカ７１および第２のスピーカ７１´，７１０´の双方をエンクロージャ７２，７２０に取り付けた構成としても構わない。このように第１のスピーカ７１および第２のスピーカ７１´，７１０´の双方をエンクロージャ７２，７２０に取り付けることで、より音質が改善されたスピーカ装置を構成することができる。
【００５４】
前記各実施形態において、第２の設置部７２５，７２５０の形成位置は、前記各実施形態で説明した位置および形状に限らず、エンクロージャ７２，７２０の内面に設けられていれば、その他の形成位置および形状としても構わない。
前記各実施形態では、スピーカ装置７，７０は、密閉型のエンクロージャ７２，７２０で構成していたが、これに限らず、その他の構成、例えば、スピーカ（第１のスピーカ７１、第２のスピーカ７１´，７１０´）の背面からの出力も利用するポートを有した所謂、バスレフ型のエンクロージャで構成しても構わない。
【００５５】
前記各実施形態において、エンクロージャ７２，７２０としては、単体で構成してもよく、あるいは、複数に分割形成され組み合わせることでエンクロージャを構成するものとしても構わない。
【００５６】
前記各実施形態では、光源装置４１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、前記各実施形態では、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
【００５７】
前記各実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記各実施形態では、エンクロージャ７２，７２０をプロジェクタに搭載していたが、これに限らず、スピーカ装置７，７０の単体で構成してもよく、また、音声の出力を必要とする他の電子機器に搭載した構成としても構わない。
【産業上の利用可能性】
【００５８】
本発明のエンクロージャは、利便性の向上が図れるため、プレゼンテーションやホームシアタに用いられるプロジェクタに用いられるエンクロージャとして利用できる。
【図面の簡単な説明】
【００５９】
【図１】第１実施形態におけるプロジェクタの内部を示す斜視図。
【図２】前記実施形態における光学ユニットの光学系を模式的に示す平面図。
【図３】前記実施形態におけるスピーカ装置の構成を示す分解斜視図。
【図４】前記実施形態におけるスピーカ装置の配設位置を示す平面図。
【図５】前記実施形態における第１のスピーカの構造を示す図。
【図６】第２実施形態におけるスピーカ装置の構成を示す図。
【符号の説明】
【００６０】
１・・・プロジェクタ、２・・・外装筺体、３・・・投射レンズ（投射光学装置）、４１・・・光源装置、７１・・・第１のスピーカ、７１´，７１０´・・・第２のスピーカ、７２，７２０・・・エンクロージャ、４５１・・・液晶パネル（光変調装置）、７１６Ａ・・・第２のスピーカ本体、７１６Ｂ・・・バッフル板、７２１・・・開口部、７２２，７２２０・・・第１の設置部、７２５，７２５０・・・第２の設置部。
【図１】
2008139770.tif 000003
【図２】
2008139770.tif 000004
【図３】
2008139770.tif 000005
【図４】
2008139770.tif 000006
【図５】
2008139770.tif 000007
【図６】
2008139770.tif 000008